(57)【要約】【課題】  脚部材どうしの開脚方向を気にすることなく格納状態から使用状態とすることができて、使い勝手が良好である物干しの提供。【解決手段】  両脚部材が横軸回りに一方向から閉じられて一の開脚状態から閉脚状態となり物干し部が一の使用姿勢から格納姿勢となった状態で内側の脚部材が外側の脚部材に重なり物干し部が内側の脚部材に重なって両脚部材および物干し部が同一平面内に収まるよう構成され、しかも、両脚部材および物干し部が同一平面内に収められた後に両脚部材を横軸回りに他方向へ相対的に回動して他の開脚状態とすることが可能に構成され、他方向へ両脚部材を相対的に回動させて他の開脚状態とすることで物干し部が他の使用姿勢となって係止手段で保持されるよう構成されている物干し。【選択図】  図２
2008200315.tif 000002
【特許請求の範囲】
【請求項１】
内外側一対の脚部材どうしの長手方向途中が幅方向の横軸を介して連結されて両脚部材どうしが横軸回りに交差角度を可変可能に設けられ、両脚部材間に物干し部が連結され、脚部材が該両脚部材どうしを横軸回りに相対的に回動させて畳んだ閉脚状態と横軸回りに相対的に回動させて開いた開脚状態とに切替え自在とされ、開脚状態において物干し部を物干し可能な使用姿勢に保持する係止手段が設けられ、両脚部材を開脚状態から閉脚状態とする動作に応じて係止手段が解除されて物干し部が両脚部材とともに畳まれる格納姿勢となるよう構成された物干しであって、
両脚部材が横軸回りに一方向から閉じられて一の開脚状態から閉脚状態となり物干し部が一の使用姿勢から格納姿勢となった状態で内側の脚部材が外側の脚部材に重なり物干し部が内側の脚部材に重なって両脚部材および物干し部が同一平面内に収まるよう構成され、しかも、両脚部材および物干し部が同一平面内に収められた後に両脚部材を横軸回りに他方向へ相対的に回動して他の開脚状態とすることが可能に構成され、他方向へ両脚部材を相対的に回動させて他の開脚状態とすることで物干し部が他の使用姿勢となって係止手段で保持されるよう構成されていることを特徴とする物干し。
【請求項２】
外側の脚部材が枠状に形成され、内側の脚部材の長手方向長さが外側の脚部材の長さに比べて短く設定され、物干し部は枠体で囲まれる棚状に形成され、枠体の側部途中と内側の脚部材の上端部が支軸を介して回動自在に連結され、枠体の側部端部と外側の脚部材とが横軸よりも上側で別の支軸を介して回動自在に連結されるとともに、該別の支軸を外側の脚部材の長手方向に沿って案内する案内溝が、枠体の外側面または外側の脚部材の内側面に形成されていることを特徴とする請求項１記載の物干し。
【請求項３】
両脚部材が同一平面内に収まった状態を保持するとともに、両脚部材を横軸回りに相対的に回動することに伴って保持が解除される保持手段が設けられていることを特徴とする請求項１または請求項２記載の物干し。
【請求項４】
保持手段として、外側の脚部材の内側面に対して出退自在に設けられた磁石を有し、該磁石は両脚部材が同一平面内に収まった状態で内側の脚部材の磁性に吸着されることで突出するものであることを特徴とする請求項３記載の物干し。
【請求項５】
係止手段は、前記別の支軸および該別の支軸が当接する前記案内溝の端面とから構成されていることを特徴とする請求項２ないし請求項４の何れかに記載の物干し。
【請求項６】
両脚部材の開脚状態および物干し部の使用姿勢において、外側の脚部材の上杆にハンガーを吊持可能とされるとともに、上杆と物干し部の枠体との間に水平方向に投影して、前記ハンガーに掛けた衣類等の略片身が収めされるスペースが設けられることを特徴とする請求項２ないし請求項５の何れかに記載の物干し。
【請求項７】
外側の脚部材の上杆に幅方向に伸縮自在な掛け杆が設けられていることを特徴とする請求項６記載の物干し。
【請求項８】
内側の脚部材の下部に、キャスターが設けられたことを特徴とする請求項２ないし請求項７の何れかに記載の物干し。
【発明の詳細な説明】
【技術分野】
【０００１】
本発明は、物干しに関する。
【背景技術】
【０００２】
従来から、内外一対の脚部材どうしの長手方向途中を横軸を介して連結し、内外両脚部材間に物干し部（例えば物干し棚）を回動自在に差渡して、横軸回りに両脚部材を開いた使用状態と、横軸回りに両脚部材を畳んだ格納状態とに切替え自在に構成した物干しが提案されている（例えば、特許文献１参照）。
【０００３】
上記物干しでは、使用状態において物干し部が物干し可能な使用姿勢となるよう回動し、格納状態では両脚部材を畳むのに応じて物干し部が畳まれる格納姿勢となるよう構成されており、物干し部を使用姿勢に保持する保持部が、内外に突出するよう設けられ、両脚部材の格納状態では、両脚部材はその一部どうしが前後に重なるよう構成されている。
【特許文献１】特開２００５−１４３６７１号公報
【発明の開示】
【発明が解決しようとする課題】
【０００４】
上記従来の物干しでは、保持部が内外に突出するよう設けられ、格納状態の両脚部材はその一部どうしが前後に重なるよう構成されているから、格納状態から使用状態に脚部材どうしを横軸回りに回動させて開く際には、その回動方向は一方のみの方向になる。すなわち、両脚部材どうしは他方には開くことはできない構成となっているから、その分だけ使用に際して使い勝手が悪いという課題があった。
【０００５】
そこで本発明は、脚部材どうしの開脚方向を気にすることなく格納状態から使用状態とすることができて、使い勝手が良好である物干しの提供を課題とする。
【課題を解決するための手段】
【０００６】
本発明は、内外側一対の脚部材どうしの長手方向途中が幅方向の横軸を介して連結されて両脚部材どうしが横軸回りに交差角度を可変可能に設けられ、両脚部材間に物干し部が連結され、脚部材が該両脚部材どうしを横軸回りに相対的に回動させて畳んだ閉脚状態と横軸回りに相対的に回動させて開いた開脚状態とに切替え自在とされ、開脚状態において物干し部を物干し可能な使用姿勢に保持する係止手段が設けられ、両脚部材を開脚状態から閉脚状態とする動作に応じて係止手段が解除されて物干し部が両脚部材とともに畳まれる格納姿勢となるよう構成された物干しであって、両脚部材が横軸回りに一方向から閉じられて一の開脚状態から閉脚状態となり物干し部が一の使用姿勢から格納姿勢となった状態で内側の脚部材が外側の脚部材に重なり物干し部が内側の脚部材に重なって両脚部材および物干し部が同一平面内に収まるよう構成され、しかも、両脚部材および物干し部が同一平面内に収められた後に両脚部材を横軸回りに他方向へ相対的に回動して他の開脚状態とすることが可能に構成され、他方向へ両脚部材を相対的に回動させて他の開脚状態とすることで物干し部が他の使用姿勢となって係止手段で保持されるよう構成されていることを特徴としている。
【０００７】
上記構成において、物干しを使用しない場合に、両脚部材を横軸回りに相対的に一方向から閉じると、両脚部材が一の開脚状態から閉脚状態となるとともに、係止手段が解除されて物干し部が一の使用姿勢から格納姿勢となって、内側の脚部材、外側の脚部材、および物干し部が同一平面内に収められる。
内側の脚部材、外側の脚部材、および物干し部が同一平面内に収められた状態から両脚部材を横軸回りに他方向へ相対的に回動すると両脚部材が他の開脚状態となり、両脚部材を他の開脚状態とすることで物干し部が他の使用姿勢となるとともに係止手段で物干し部が他の使用姿勢に保持される。
このように、一方向または他方向から両脚部材を相対的に横軸回りに回動させて、例えば外側の脚部材を中心に考えた場合に外側の脚部材のどちら側にでも内側の脚部材を回動させてしかも物干し部は何れの脚部材の状態であっても使用姿勢となるから、物干し作業のために物干し部を使用姿勢とする際に、使用者は物干しの脚部材を開く方向性を考慮する必要がないから、使い勝手が向上する。
【０００８】
本発明の物干しは、外側の脚部材が枠状に形成され、内側の脚部材の長手方向長さが外側の脚部材の長さに比べて短く設定され、物干し部は枠体で囲まれる棚状に形成され、枠体の側部途中と内側の脚部材の上端部が支軸を介して回動自在に連結され、枠体の側部端部と外側の脚部材とが横軸よりも上側で別の支軸を介して回動自在に連結されるとともに、該別の支軸を外側の脚部材の長手方向に沿って案内する案内溝が、枠体の外側面または外側の脚部材の内側面に形成されていることを特徴としている。
【０００９】
上記構成において、両脚部材を横軸回りに相対的に閉じるよう回動させると、係止手段が解除され、支軸および別の支軸回りに物干し部が閉じられるように回動するとともに、別の支軸が案内溝に案内されて物干し部が両脚部材に沿うように倒れて、両脚部材および物干し部が同一平面に収められる。
【００１０】
本発明の物干しでは、両脚部材が同一平面内に収まった状態を保持するとともに、両脚部材を横軸回りに相対的に回動することに伴って保持が解除される保持手段が設けられていることを特徴としている。
【００１１】
上記構成において、保持手段によって両脚部材が同一平面内に収まった状態が保持され、両脚部材を横軸回りに相対的に回動する動作に伴って保持手段が解除される。
保持手段としては、保持手段に備えられた保持具の回動動作、弾性変形・弾性復元、出退動作等によって両脚部材が同一平面内に収まった状態を保持・解除する構成のものが考えられ、内側の脚部材の外側面、あるいは外側の脚部材のない側面に係止（嵌合を含む）するものが考えられる。
【００１２】
本発明の物干しでは、保持手段として、外側の脚部材の内側面に対して出退自在に設けられた磁石を有し、該磁石は両脚部材が同一平面内に収まった状態で内側の脚部材の磁性に吸着されることで突出するものであることを特徴としている。
【００１３】
上記構成によれば、磁石は、両脚部材が同一平面内に収まった状態で突出してその磁力によって両部材の状態を保持し、両脚部材が同一平面内に収まった状態にない場合では後退しているから、邪魔になることがない。
【００１４】
本発明の物干しでは、係止手段は、別の支軸および別の支軸が当接する案内溝の端面とから構成されていることを特徴としている。
上記構成によれば、特別な部材を設けることなく、別の支軸を利用してこれが案内溝の端面に当接することで、物干し部の使用姿勢が保持される。
【００１５】
本発明の物干しでは、両脚部材の開脚状態および物干し部の使用姿勢において、外側の脚部材の上杆にハンガーを吊持可能とされるとともに、上杆と物干し部の枠体との間に水平方向に投影して、前記ハンガーに掛けた衣類等の略片身が収めされるスペースが設けられることを特徴としている。
【００１６】
上記構成において、物干し部とは別に衣類等を吊持することが可能であるから、ひとつの物干しで多彩な使用が可能となり、利便性が向上する。
【００１７】
本発明の物干しでは、外側の脚部材の上杆に幅方向に伸縮自在な掛け杆が設けられていることを特徴としている。
上記構成によれば、掛け杆を使用しないときは上杆側に後退させておき、掛け杆を伸張させることでその分だけ多くの物を干すことが可能になるから、邪魔にならず、しかも利便性が向上する。
【００１８】
本発明の物干しでは、内側の脚部材の下部に、キャスターが設けられたことを特徴としている。
上記構成によれば、両脚部材を開脚状態として、物干し部、あるいは外側の脚部材を把持して、物干しを内側の脚部材の下部のみで床面等に支持させるよう傾斜させることにより、キャスターの転動で物干しを所望の位置に移動させることが可能となるから、使い勝手がよい。
【発明の効果】
【００１９】
本発明の物干しによれば、一方向または他方向から両脚部材を相対的に横軸回りに回動させて、外側の脚部材のどちら側にでも内側の脚部材を回動させてしかも物干し部は何れの脚部材の状態であっても使用姿勢となるから、物干し作業のために物干し部を使用姿勢とする際に、使用者は物干しの脚部材を開く方向性を考慮する必要がなく、したがって使い勝手が良い。
【発明を実施するための最良の形態】
【００２０】
以下、本発明の実施形態に係る物干しの実施形態を図面に基づいて説明する。図１は本発明の物干しの全体構成を示す概略斜視図、図２は物干しの使用状態を示す側面図、図３は正面図、図４は折畳んだ状態の側面図、図５は保持手段の構成を示す断面図、図６はキャスター部分の斜視図、図７は内フレームおよび外フレームと物干し棚との取付け状態を示す拡大斜視図、図８は掛け杆部分の構成を示す拡大斜視図である。
【００２１】
図１ないし図４に示すように、本発明の実施形態に係る物干し１は、外側の脚部材としての矩形の外フレーム２と、内側の脚部材としての内フレーム３と、外フレーム２と内フレーム３との間に連結された物干し部としての物干し棚４とを有する。
【００２２】
外フレーム２は、幅方向左右両側に一対で互いに平行な側部外杆部材５，６と、側部外杆部材５，６の上端部どうしに一体に渡された上杆部材７と、側部外杆部材５，６の下端部どうしに一体に渡されて上杆部材７と平行な外下杆部材８とを有する。これら側部外杆部材５，６、上杆部材７、および外下杆部材８はそれぞれ中抜きの断面略矩形に形成されている。
【００２３】
使用者が把持した際に手指に違和感がないよう、上杆部材７の上面は断面円弧状に形成されている。また、床面を傷付けることのないよう、外下杆部材８の下面は断面略円弧状に形成されて、しかも外下杆部材８の表面は樹脂材でカバーされている。
【００２４】
側部外杆部材５，６はその対向面に側部外杆部材５，６の長手方向に沿う案内溝１０がそれぞれ形成されている。この案内溝１０は、側部外杆部材５，６の長手方向中間位置よりも上方に配置されており、しかも側部外杆部材５，６の上端部には至らない長さに設定されている。
案内溝１０の下端壁面１１および上端壁面１２はそれぞれ円弧状に形成されている。
【００２５】
側部外杆部材５，６の上面は円弧状に形成されており、側部外杆部材５，６の上端部と上杆部材７の幅方向端部との関係は、側部外杆部材５，６の上端部の内面に上杆部材７の幅方向端面が重なるようにして一体化され、側部外杆部材５，６の上面と上杆部材７の上面とは面一となっている。
なお、側部外杆部材５，６の上端部外面には、幅方向内方に凹となる円柱状の上凹部１３が形成されている。
【００２６】
側部外杆部材５，６の上端部の幅方向両端部に、挿通穴１４が形成されており、側部外杆部材５，６の上端部の幅方向両端部には、幅方向に出退することで伸縮自在となる掛け杆１５がそれぞれ設けられている。掛け杆１５は薄型円板状の摘み部１６と、挿通穴１４に挿通されるとともに側部外杆部材５，６の上端部および上杆部材７の幅方向端部を挿通してこれらに摺動自在に案内される掛け部１７と、上杆部材７の幅方向端部内にあって掛け部１７の抜止めをするための薄型円板状のストッパ１８とから構成されている（図８参照）。
【００２７】
上杆部材７の幅方向端部には、掛け部１７を最大限に引出した際にストッパ１８に幅方向で係止する不図示の係止部が設けられている。なお、掛け部１７は断面円筒状に形成されている。また、掛け杆１５は、これを縮めた状態でその摘み部１６が上凹部１３に収納されるようになる。
【００２８】
図５に示すように、外下杆部材８の上面８ａは平面に形成されており、この平面から長手方向に出退自在に永久磁石２０が設けられている。永久磁石２０は円柱状に形成されており、その下部に永久磁石２０よりも大径の基部２１が一体に設けられている。永久磁石２０は、その後退時には外下杆部材８の上面８ａに形成された出退孔２２に内嵌（遊嵌）してその上面と外下杆部材８の上面８ａとが面一となるよう基部２１が外下杆部材８に内装されている。
【００２９】
永久磁石２０はその突出時には、基部２１の上面が外下杆部材８の裏面に当接することで抜止めされる構成となっている。
基部２１は外下杆部材８の内を幅方向で仕切る仕切り板２３によって仕切られた収納空間２４に、上下方向（長手方向）に移動自在に収納されている。
【００３０】
永久磁石２０は、外フレーム２および内フレーム３が同一平面内に収まった状態を保持するとともに、外フレーム２および内フレーム３を横軸２８回りに相対的に回動することに伴って保持が解除される保持手段を構成する部材として用いられるものである。
永久磁石２０は、外フレーム２および内フレーム３が同一平面内に収まった状態で内フレーム３の磁性に長手方向外方から長手方向内方に向けて吸着されることで突出して、内フレーム３の後述する内下杆部材２７に磁力的に接触するものである。
【００３１】
内フレーム３は、幅方向左右両側に一対で互いに平行な側部内杆部材２５，２６と、側部内杆部材２５，２６の下端部どうしに一体に渡されて上杆部材７、外下杆部材８と平行な前記内下杆部材２７とを有する。これら側部内杆部材２５，２６、および内下杆部材２７は、それぞれ中抜きの断面略矩形に形成されている。
なお、床面を傷付けることのないよう、内下杆部材２７の下面は断面略円弧状に形成されて、しかも内下杆部材２７の表面は樹脂材でカバーされている。
【００３２】
内フレーム３は、その側部内杆部材２５，２６が外フレーム２の側部外杆部材５，６に横軸２８を介して回動自在に連結されている。内フレーム３はその側部内杆部材２５，２６の上部寄りの部分が横軸２８に連結されている。この構成により、外フレーム２および内フレーム３は横軸２８回りに、側面視してＸ字状となるよう相対的に回動した開脚状態Ａと、外フレーム２の内側に内フレーム３が同一平面内に収まるよう重なる閉脚状態Ｂとに切替え自在な構成となっている。すなわち、外フレーム２および内フレーム３は横軸２８回りに相対的に回動することで両者の交差角度θを変更可能に構成されている。
【００３３】
なお、横軸２８は外フレーム２の側部外杆部材５，６の内面および内フレーム３の側部内杆部材２５，２６の外面にそれぞれ形成された不図示の支持孔に回動自在に挿通され、外フレーム２の側部外杆部材５，６の内面および内フレーム３の側部内杆部材２５，２６の外面に渡すように設けられている。
【００３４】
しかし、外フレーム２または内フレーム３の何れか一方に固定されるもので、他方のフレームを回動自在に支持するものであってもよい。何れにしても、外フレーム２と内フレーム３とが横軸２８回りに相対的に回動可能であってＸ字状の開脚状態Ａと同一平面内に収まるよう重なる閉脚状態Ｂとし得る構成であればよい。
【００３５】
図６に示すように、内フレーム３の内下杆部材２７の幅方向両端部には、幅方向内方に凹となる下凹部３０が形成されており、内下杆部材２７よりも大径で下凹部３０に収納されて転動可能な転動車３１ａを有するキャスター３１が取付けられている。
【００３６】
キャスター３１の転動車３１ａは、内下杆部材２７よりも大径であるが、外フレーム２および内フレーム３が同一平面内に収まる閉脚状態Ｂとするために、横軸２８から外フレーム２の外下杆部材８の上面８ａまでの距離Ｌ１は、横軸２８から内フレーム３のキャスター３１下端までの距離Ｌ２に比べてわずかに大きく設定されている。
【００３７】
外フレーム２および内フレーム３の閉脚状態Ｂにおいて、外フレーム２の外下杆部材８の上面８ａと内フレーム３の内下杆部材２７の下面との間には、永久磁石２０が内フレーム３の内下杆部材２７の磁性によって吸引されることで突出可能なようにわずかな隙間３２が設けられる構成となっている。
【００３８】
物干し棚４は、外フレーム２の長手方向に沿うように長い棚フレーム３３を有する。棚フレーム３３は、幅方向に対で設けられて互いに平行な一対の側部棚杆部材３４，３５と、側部棚杆部材３４，３５にその長手方向それぞれの側で差渡すように連結された上棚杆部材４０および下棚杆部材４１から構成される。棚フレーム３３は中抜きの略矩形断面に形成される。上棚杆部材４０の上面は円弧状に形成されており、下棚杆部材４１の下面は円弧状に形成されている。
【００３９】
側部棚杆部材３４，３５は、上棚杆部材４０および下棚杆部材４１の幅方向端面に対して幅方向内方に位置ずれして配置されている。側部棚杆部材３４，３５の間に、断面中抜き円形の複数本のタオル掛け４２が、側部棚杆部材３４，３５に平行に、且つ幅方向に間隔を置いて配置されている。これらタオル掛け４２は、その上下端部がそれぞれ上棚杆部材４０および下棚杆部材４１の対向面のそれぞれに貫通するようにして取付けられている。
【００４０】
なお、側部棚杆部材３４，３５は内フレーム３の側部内杆部材２５，２６に平行である。また、上棚杆部材４０および下棚杆部材４１は外フレーム２の上杆部材７と平行である。
【００４１】
図７に示すように、物干し棚４は、その上端部である上棚杆部材４０の側部が、外フレーム２の側部外杆部材５，６の内面に、横方向の支軸４３（別の支軸に相当する）を介して該支軸４３回りに回動自在に連結されている。物干し棚４の上端部と外フレーム２の側部外杆部材５，６とは相対的に支軸４３回りに回動自在とされている。
【００４２】
この場合、支軸４３は物干し棚４側から外フレーム２に突出するように設けられており、支軸４３の先端は、前記案内溝１０に摺動自在に且つ回動自在に嵌合されている。なお、支軸４３は円柱状に形成されている。
【００４３】
物干し棚４の上棚杆部材４０の下面の端部から下棚杆部材４１に向けて、すなわち長手方向に向けて側部棚杆部材３４，３５と平行に延設するように延設杆部材４５の基端部が固定されている。物干し棚４の側部棚杆部材３４は、その途中が内フレーム３の上端部に支軸４４を介して回動自在に連結されている。
【００４４】
さらに詳述すると、延設杆部材４５の先端に、支軸４４を貫通して支持する棚側支持片４６が設けられ、内フレーム３の側部内杆部材２５，２６の上端部に、棚側支持片４６と同一形状のものを相対使いしたフレーム側支持片４７が設けられている。
【００４５】
棚側支持片４６は幅方向外側の半円板状部５０と、半円板状部５０の幅方向内側に一体的に設けられて、且つ長手方向に長い延設部５２とから形成されており、延設部５２は長手方向に長い矩形の矩形板状部５４と、その先端に設けられて支軸４４が貫通する半円板状の軸貫通部５６とから一体的に形成されている。
【００４６】
したがって、フレーム側支持片４７は、幅方向内側の半円板状部５１と、半円板状部５１の幅方向外側に一体的に設けられて、且つ長手方向に長い延設部５３とから形成されており、延設部５３は長手方向に長い矩形の矩形板状部５５と、その先端に設けられて支軸４４が貫通する半円板状の軸貫通部５７とから一体的に形成されている。そして、両軸貫通部５６，５７は支軸４４に回動自在となるよう貫通されている。
【００４７】
この構成により、物干し棚４と内フレーム３とを支軸４４回りに閉じるように回動させると、半円板状部５０，５１と延設部５２，５３どうしが対向しつつ互いに干渉することなく回動して、物干し棚４と内フレーム３とが同一面内に収まった格納姿勢Ｄとなる。
【００４８】
なお、支軸４４は、物干し棚４の長手方向中間位置よりも支軸４３側寄りに位置付けられている。また、閉脚状態Ｂ、格納姿勢Ｄにおいて、延設杆部材４５と側部内杆部材２５，２６とは長手方向に同一直線上に配置され、閉脚状態Ｂ、格納姿勢Ｄ以外の状態では延設杆部材４５と側部内杆部材２５，２６とは支軸４４回りに相対的な交差角度を有する。
【００４９】
開脚状態Ａにおいて物干し棚４を物干し可能な使用姿勢Ｃに保持する係止手段５８が設けられている。係止手段５８は、支軸４３と案内溝１０の下端壁面１１とから構成されている。
【００５０】
また、横軸２８と支軸４４との間の距離、および支軸４４と支軸４３との間の距離は等しく設定されている。これにより、図２に示すように、開脚状態Ａおよび使用姿勢Ｃにおいて、外フレーム２の横軸２８から支軸４３までの外フレーム部分２ａ、内フレーム３の横軸２８から支軸４４までの内フレーム部分３ａ、および延設杆部材４５によって、側面視して延設杆部材４５を底辺し、外フレーム部分２ａおよび内フレーム部分３ａを斜辺とする正三角形Ｔが形成される。
【００５１】
上記構成において、物干し１を使用しない場合は、図（）および図（）に示すように、内外側一対の脚部材すなわち外フレーム２および内フレーム３を閉脚状態Ｂとしておく。閉脚状態Ｂでは、外フレーム２および内フレーム３が同一平面内にある。また、閉脚状態Ｂとすることで、物干し棚４は内フレーム３と同一面内にある格納姿勢Ｄとなっている。すなわち、閉脚状態Ｂと格納姿勢Ｄでは、外フレーム２、内フレーム３および物干し棚４は同一平面内にあって最も収納スペースが小さくてすむ状態となっている。
【００５２】
この状態では、外フレーム２の外下杆部材８と内フレーム３の内下杆部材２７とは長手方向で対向しており、保持手段としての永久磁石２０が内フレーム３の内下杆部材２７の磁性に吸着されることで外フレーム２の外下杆部材８の上面８ａから突出して、内フレーム３の内下杆部材２７に磁力的に接触しており、閉脚状態Ｂが保持されている。
また、支軸４３は案内溝１０の上端壁面１２に円弧面どうしで当接している。
【００５３】
この状態から物干し１を使用可能な状態とするためには、永久磁石２０の磁性力に抗して外フレーム２と内フレーム３とを横軸２８回りに相対的に回動させるように開き、両フレーム２，３が横軸２８を中心としてＸ字状になるようにする。この場合、外フレーム２と内フレーム３とを横軸２８回りに相対的に回動させればよく、例えば外フレーム２を固定しておいて内フレーム３を回動させるようにする。
【００５４】
そうすると、内フレーム３の回動動作に伴って支軸４４回を介して物干し棚４が押圧されるとともに内フレーム３と物干し棚４とが支軸４４回りに相対的に回動し、さらに物干し棚４は支軸４３回りに外フレーム２と相対的に回動することになる。そして支軸４４の移動に伴って、物干し棚４はその姿勢を外フレーム２に対して起こしつつ内フレーム３に支軸４４を介して引かれて下動する。このとき、支軸４３は案内溝１０に案内されて下方、すなわち案内溝１０の下端壁面１１に向けて移動することになる。
【００５５】
外フレーム２と内フレーム３とをさらに横軸２８回りに相対的に開き、支軸４３が案内溝１０の下端壁面１１に円弧面どうしで当接した時点で、支軸４３と案内溝１０の下端壁面１１とが係止手段５８として機能することになるから、外フレーム２と内フレーム３とは横軸２８周りの回動動作が不可能な一の開脚状態Ａとなる。支軸４３と案内溝１０の下端壁面１１とが長手方向から当接した状態で、物干し棚４は略水平な姿勢である一の使用姿勢Ｃとなる。また外フレーム２および内フレーム３は開脚状態Ａとなり、床面等に物干し１を安定して載置することができる。
【００５６】
なお、物干し棚４を使用姿勢Ｃとすることで、タオル掛け４２にタオルや靴下等を掛けて干すことが可能になる。さらに、物干し棚４を格納姿勢Ｄから使用姿勢Ｃとすることによれば、支軸４３が案内溝１０を長手方向下方に移動して物干し棚４が外フレーム２の上杆部材７から離れることになるから、物干し棚４の上棚杆部材４０と外フレーム２の上杆部材７との間にスペースが形成される。上杆部材７に、衣類等を掛けたハンガーのフックを掛けることで、衣類等の片身が上記スペースに収められる。すなわち、外フレーム２の上杆部材７をハンガー掛けとして使用することができ、限られたサイズの物干し１において多くの物を干すことが可能となって、便利である。
【００５７】
なお、衣類等を掛けたハンガーを上杆部材７で支持させると、衣類等とハンガーの重さが上杆部材７に下方に働く。すなわちこの重さは横軸２８回りに外フレーム２を倒す方向に働くが、そうすると支軸４３と案内溝１０の下端壁面１１近傍の側壁部分とが、該重量に応じた力で水平方向に圧接されるようになり、物干し棚４は外フレーム２とＸ字状に交差している内フレーム３の上端部に支軸４４を介して連結されているから、横軸２８、支軸４３および支軸４４の間でバランスされて、物干し１が倒れるようなことはない。
【００５８】
物干し１を移動させたい場合では、例えば外フレーム２の上杆部材７を手指で把持して物干し１全体を内フレーム３の内下杆部材２７を中心として回動させるようにする。そうすると、内下杆部材２７にはキャスター３１が取付けられているから、キャスター３１のみが床面に当接している状態となるから、物干し１を押したり引いたりすることで、自由に所望の場所へ移動させることができる。
【００５９】
物干し１を再び収納するには、例えば外フレーム２の上杆部材７を手指で把持して上方へ持上げるようにする。そうすると、内フレーム３はその側部内杆部材２５，２６の上部寄りの部分が横軸２８に連結されているから、図１の仮想線で示すように、内フレーム３がその重さにより横軸２８回りに外フレーム２に対して一方向Ｅへ回動し、物干し棚４と支軸４４とは支軸４４が物干し棚４の長手方向中間よりも支軸４３側にあるから物干し棚４がその自重により支軸４４回りに回動することになる。また、下端壁面１１に当接していた支軸４３が下端壁面１１から上端壁面１２側へ向けて移動し（係止手段５８が解除されて）支軸４３が案内溝１０に案内されて物干し棚４が上動し、外フレーム２、内フレーム３および物干し棚４が同一平面内に収まる方向へ回動する。
【００６０】
そして、内フレーム３の内下杆部材２７と外フレーム２の外下杆部材８とが内外で対向した閉脚状態Ｂとなると同時に、物干し棚４が格納姿勢Ｄとなって、外フレーム２、内フレーム３および物干し棚４が同一平面内に収まり、永久磁石２０が内下杆部材２７の磁性によって外下杆部材８の上面８ａから突出して内下杆部材２７に当接し、外フレーム２および内フレーム３の閉脚状態Ｂが保持される。
【００６１】
ところで、この実施形態における物干し１では、これを再び使用可能な状態とするには、外フレーム２に対して内フレーム３を他方向Ｆへ開く方法と、一方向Ｅへ開く方法とが選択できる。すなわち、上記のように内フレーム３を一方向Ｅへ閉じて閉脚状態Ｂとした後、他方向Ｆへ内フレーム３を開くのではなく、さらに横軸２８回りに一方向Ｅへ開いて使用することができる。
【００６２】
この場合、永久磁石２０の磁性力に抗して内フレーム３を横軸２８回りに回動させて内フレーム３の内下杆部材２７が外フレーム２の外下杆部材８に対向した状態を解除する。そして横軸２８回りの外フレーム２と内フレーム３との交差角度θを大きくしていくことで、物干し棚４が支軸４３回りに起きて支軸４３が案内溝１０の下端壁面１１に当接した時点で外フレーム２と内フレーム３との回動が不可能になるとともに、物干し棚４の回動が不可能な他の開脚状態Ａとなり、物干し棚４が係止手段５８で保持された他の使用姿勢Ｃとなる。
なお、内フレーム３を一方向Ｅへ閉じて閉脚状態Ｂとした後、他方向Ｆへ内フレーム３を開くことも勿論可能である。
【００６３】
このように、物干し１は、外フレーム２と内フレーム３とが横軸２８回りに一方向Ｅおよび他方向Ｆの双方向に開閉自在に構成されているから、物干し１の使用に際して開脚の方向性を考慮する必要がなく、使い勝手が良好である。要するに、内フレーム３が外フレーム２に対して通過可能なようになっており、外フレーム２に対して内フレーム３が通過する際に邪魔になる部材がないから、内フレーム３が外フレーム２に対して相対的に一方向および他方向に横軸２８回りに回動することが可能となっている。
【００６４】
また、特別な係止具を設けることなく、係止手段５８を支軸４３と案内溝１０とから構成してあるから、その分だけ全体構成が簡素化されている。
【００６５】
本発明は上記実施形態に限定されるものではない。上記実施形態では、保持手段としての永久磁石２０を外下杆部材８に設けたが、外フレーム２と内フレーム３とが同一平面内にある際（閉脚状態Ｂ）に、外フレーム２あるいは内フレーム３の一方から外フレーム２あるいは内フレーム３の他方へ向けて幅方向あるいは長手方向に突出して閉脚状態Ｂを保持するものであればよい。
【００６６】
さらに保持手段は出退動作によって閉脚状態Ｂを保持するものでなはなく、回動動作あるいは弾性変形によって外フレーム２および内フレーム３の閉脚状態Ｂを保持するものであってもよい。
【図面の簡単な説明】
【００６７】
【図１】本発明の物干しの全体構成を示す概略斜視図
【図２】同じく物干しの使用状態を示す側面図
【図３】同じく正面図
【図４】同じく物干しを折畳んだ状態の側面図
【図５】同じく保持手段の構成を示す断面図
【図６】同じくキャスター部分の斜視図
【図７】同じく内フレームおよび外フレームと物干し棚との取付け状態を示す拡大斜視図
【図８】同じく掛け杆部分の構成を示す拡大斜視図
【符号の説明】
【００６８】
１…物干し、２…外フレーム、３…内フレーム、４…物干し棚、５，６…側部外杆部材、７…上杆部材、８…      外下杆部材、１０…案内溝、１１…下端壁面、１２…上端壁面、２０…永久磁石、２２…出退孔、２４…収納空間、２５，２６…側部内杆部材、２７…内下杆部材、２８…横軸、３０…下凹部、３１…キャスター、３２…隙間、３３…棚フレーム、３４，３５…側部棚杆部材、４０…上棚杆部材、４１…下棚杆部材、４３…支軸、４４…支軸、４５…延設杆部材、４６…棚側支持片、４７…フレーム側支持片、５６…軸貫通部、５８…係止手段、Ａ…開脚状態、Ｂ…閉脚状態、Ｃ…使用姿勢、Ｄ…格納姿勢、Ｅ…一方向、Ｆ…他方向、θ…交差角度
【図１】
2008200315.tif 000003
【図２】
2008200315.tif 000004
【図３】
2008200315.tif 000005
【図４】
2008200315.tif 000006
【図５】
2008200315.tif 000007
【図６】
2008200315.tif 000008
【図７】
2008200315.tif 000009
【図８】
2008200315.tif 000010